(57)【要約】【課題】本発明の課題は簡単な構造で、杖や傘などの杆状物品を、平面部を有する固定対象物と手摺り等のパイプ状固定対象物の両方に保持可能とする事に有る。【解決手段】平面部を有する固定対象物に対して固定可能な吸着体を設けた吸着ベースと、前記吸着ベースを杖や傘などの杆状部材に間接的に接続するひも部材を有し、更に前記吸着体に結合可能なカバー部材が設けられ、前記カバー部材が前記吸着ベースとひも状部材によって間接的に接続される事により、前記吸着体とカバー部材の結合状態において、前記ひも状部材がループ状となり、パイプ状固定対象物に対しても保持可能となる。【選択図】図１
2007089612.tif 000002
【特許請求の範囲】
【請求項１】
平面部を有する固定対象物に対して繰り返し固定可能な吸着体を少なくとも一つの面に設けた吸着ベースと、前記吸着ベースを杖や傘などの杆状部材に間接的に接続するひも部材より構成される事を特徴とする杆状物品固定具。
【請求項２】
杖や傘などの杆状物品と、平面部を有する固定対象物に対して繰り返し固定可能な吸着体を少なくとも一つの面に設けた吸着ベースと、前記吸着ベースを杆状部材に間接的に接続したひも部材より構成される事を特徴とする杆状物品固定具を有する杆状物品。
【請求項３】
前記吸着体が、表面に粘着性を有する部材で構成される事を特徴とする請求項１または請求項２記載の杆状物品固定具及び杆状物品固定具を有する杆状物品。
【請求項４】
平面部を有する固定対象物に対して前記吸着体の固定を行なわない状態において、前記吸着体に結合可能なカバー部材を有する事を特徴とする請求項１〜請求項３記載の杆状物品固定具及び杆状物品固定具を有する杆状物品。
【請求項５】
前記カバー部材と前記吸着ベースがひも状部材によって間接的に接続される事を特徴とする請求項４記載の杆状物品固定具及び杆状物品固定具を有する杆状物品。
【発明の詳細な説明】
【技術分野】
【０００１】
本発明は、杖や傘などの杆状物品の固定具並びに固定具を有する杆状物品に関する。
【背景技術】
【０００２】
従来の杆状物品固定具としては、特許文献１に示す様に、一端が杖や傘の軸に固定可能に構成され、他端に選択的に紐状および輪の状態の切り替えが可能な接着部を設けた構造が開示されている。
【０００３】
しかし、上記従来技術では、固定対象物が手摺り等のパイプ状対象物の場合には問題無いが、机等の平面体固定対象物に対しては固定が出来なかった。
【特許文献１】特開２００３−１２５８２２号公報
【発明の開示】
【発明が解決しようとする課題】
【０００４】
本発明は、杖や傘などの杆状物品を、平面部を有する固定対象物と手摺り等のパイプ状固定対象物の両方に保持可能とするものである。特に杖を使用する様な老人や障害者においては、地面に倒れてしまった杖を、しゃがんで拾う事は非常に困難である。しかしながら、例えば、飲料やタバコや切符の自動販売機などで購入する際に杖を一方の手で持ちながら、他方の手のみでサイフを取り出して、更にサイフを開けてお金を取り出し切符を購入する事は非常に困難であり、通常は両足の間に杖を挟んで固定したり、自動販売機に杖を立て掛けて購入しているが、前者においてはバランスを崩して人間自体が転んでしまう恐れがあり、また、後者においては体がわずかに杖に触れただけで杖が倒れてしまい、その場合は他の健康な人に杖を拾ってもらわなければならなかった。
【課題を解決するための手段】
【０００５】
本発明の杆状物品固定具及び杆状物品固定具を有する杆状物品は、平面部を有する固定対象物に対して繰り返し固定可能な吸着体を少なくとも一つの面に設けた吸着ベースと、前記吸着ベースを杖や傘などの杆状部材に間接的に接続するひも部材より構成される事を特徴とする。
【０００６】
又、本発明の杆状物品固定具及び杆状物品固定具を有する杆状物品は、杖や傘などの杆状物品と、平面部を有する固定対象物に対して繰り返し固定可能な吸着体を少なくとも一つの面に設けた吸着ベースと、前記吸着ベースを杆状部材に間接的に接続したひも部材より構成される。
【０００７】
更に本発明の杆状物品固定具及び杆状物品固定具を有する杆状物品は前記吸着体が、表面に粘着性を有する部材で構成されると良い。
【０００８】
又、本発明の杆状物品固定具及び杆状物品固定具を有する杆状物品は平面部を有する固定対象物に対して前記吸着体の固定を行なわない状態において、前記吸着体に貼り付け可能なカバー部材を設けると良い。
【０００９】
又、本発明の杆状物品固定具及び杆状物品固定具を有する杆状物品は前記カバー部材と前記吸着ベースがひも状部材によって間接的に接続される様にすると良い。
【発明の効果】
【００１０】
本発明の杆状物品固定具及び杆状物品固定具を有する杆状物品はひも部材により杖や傘と間接的に吸着体が接続されているため、例えば、自働販売機で飲料やタバコや切符などを購入する際には、吸着体を自働販売機自体、若しくは周囲の側壁部などに吸着させる事が出来、これらの杆状物品を倒してしまう事無く安心して購入する事が出来る。又、万が一体のバランスを崩した時にも、杖や傘の柄の部分をつかめば吸着ベースが引っ張られる事により自動的に被吸着物と吸着体の接続が外れるため、そのまま杖や傘を使って体のバランスを取る事が出来る。又、吸着体として、粘着性を有する部材を使用すれば被吸着面に多少の凹凸があってもこれらの杆状物品を固定する事が出来る。
【００１１】
又、上記粘着性を有する吸着面の汚れを防止する事が可能なカバー部材を設ける事によって、粘着面の汚れを最小限に抑え、粘着効果を長持ちさせる事が出来る。更に、前記カバー部材と前記吸着ベースがひも状部材によって間接的に接続される事により、端部が露出していないバスの手摺りなどのパイプ状固定対象物に対しても容易に杆状物品を着脱させる事が出来る。
【発明を実施するための最良の形態】
【００１２】
以下図面によって本発明の実施例を説明する。
【実施例１】
【００１３】
本発明の杆状物品固定具及び杆状物品固定具を有する杆状物品の第１実施例は、図１〜図３に示す様に、平面部を有する固定対象物１０に対して繰り返し固定可能な吸着体１を少なくとも一つの面に両面テープで固定した吸着ベース２と、前記吸着ベース２を杖や傘などの杆状部材６に間接的に接続するひも部材３を有する。尚前記吸着体１と吸着ベース２は一体に構成されていても良い。
【００１４】
前記吸着体１は、粘着性を有するアクリル樹脂発泡体など、素材自体が粘着性を有する物を用いた方が、表面が汚れた際にも洗浄により粘着性が復活するため特に望ましい。又、吸着体１は吸盤や磁石などでも良く、例えば前記吸着ベース２の異なる面、若しくは同一面上に夫々、粘着性部材、吸盤、磁石など複数の種類の吸着体を配置し、被吸着物のタイプ毎に吸着体１を使い分けても良い。
【００１５】
又、平面部を有する固定対象物１０に対して前記吸着体１の固定を行なわない状態において、前記吸着体１の表面の粘着面に貼り付けて粘着面の汚れを防止する事が可能な、カバー部材４が設けられる。前記カバー部材４と前記吸着ベース２がひも状部材５によって間接的に接続される事により、前記吸着体１とカバー部材４が接続された状態においては、前記ひも状部材５がループ状となり、端部が露出していないバスの手摺りなどのパイプ状固定対象物２０に対しても容易に杆状物品６を着脱させる事が出来る。尚、吸着体１に磁石を用いた場合にはカバー部材４は鉄を含有した磁石吸着体を使用し、吸着体１に吸盤を使用した場合はカバー部材に平滑度の高いシート部材など既存の適切な材料を選択する事が出来る。又、前記吸着ベース２及び、カバー部材４は、樹脂、金属など既存の材料を自由に使用する事が出来る。又、ひも部材３、ひも部材５においても、素材は織物や非金属弾性体、ワイヤー、鎖状部材などの既存の材料を自由に使用出来、形状や各部品間や上記杆状物品との結合手段においても既存の技術を用いて適切な物を使用する事が出来る。
【００１６】
又、上記第１実施例では杆状物品固定具の部分のみについて説明しているが、前記杆状物品固定具に既存の杆状物品６を結合した状態で製品として販売しても良い。
【図面の簡単な説明】
【００１７】
【図１】本発明の杆状物品固定具部分の斜視図である。（実施例１）
【図２】本発明の杆状物品固定具及び杆状物品固定具を有する杆状物品を平面部を有する固定対象物に固定した状態を示す説明図である。（実施例１）
【図３】本発明の杆状物品固定具及び杆状物品固定具を有する杆状物品をパイプ部材に固定した状態を示す説明図である。（実施例１）
【符号の説明】
【００１８】
１    吸着体
２    吸着ベース
３    ひも部材
４    カバー部材
５    ひも部材
６    杆状物品
１０  平面部を有する固定対象物
２０  パイプ状固定対象物
【図１】
2007089612.tif 000003
【図２】
2007089612.tif 000004
【図３】
2007089612.tif 000005